(57)【要約】  本発明は、点灯時の発熱を抑制できる照明装置を提供する。  面発光パネルと、放熱取付部材を有し、放熱取付部材は、面発光パネルを被取付部に対して取り付けるものであって、本体板部を有し、本体板部は、厚み方向に貫通した給電用貫通孔と、実質的に凸部を含まない取付側平滑領域を有し、面発光パネルは、パネル本体と、接続配線部を有し、接続配線部は、パネル本体と外部電源を電気的に接続するものであって、本体板部のパネル本体側から給電用貫通孔を通過してパネル本体とは反対側に至っており、面発光パネルは、点灯時に発光する発光領域を含む発光面が表面を構成するものであって、裏面に実質的に凸部を含まないパネル側平滑領域を有し、取付側平滑領域とパネル側平滑領域は、発光面を平面視したときの発光領域の面積の５０パーセント以上の面積で面接触している構成とする。
2020003911.tif 000002
【特許請求の範囲】
【請求項１】
面発光パネルと、放熱取付部材を有し、
前記放熱取付部材は、前記面発光パネルを被取付部に対して取り付けるものであって、本体板部を有し、
前記本体板部は、厚み方向に貫通した給電用貫通孔と、実質的に凸部を含まない取付側平滑領域を有し、
前記面発光パネルは、パネル本体と、接続配線部を有し、
前記接続配線部は、前記パネル本体と外部電源を電気的に接続するものであって、前記本体板部の前記パネル本体側から前記給電用貫通孔を通過して前記パネル本体とは反対側に至っており、
前記面発光パネルは、点灯時に発光する発光領域を含む発光面が表面を構成するものであって、裏面に実質的に凸部を含まないパネル側平滑領域を有し、
前記取付側平滑領域と前記パネル側平滑領域は、前記発光面を平面視したときの前記発光領域の面積の５０パーセント以上の面積で面接触していることを特徴とする照明装置。
【請求項２】
面発光パネルと、放熱取付部材を有し、
前記放熱取付部材は、前記面発光パネルを支持し被取付部に対して取り付けるものであって、本体板部と、給電素子を有し、
前記本体板部は、厚み方向に貫通した給電用貫通孔と、実質的に凸部を含まない取付側平滑領域を有し、
前記給電素子は、前記本体板部を挟んで前記面発光パネルとは反対側にあって、外部電源と電気的に接続されており、
前記面発光パネルは、パネル本体と、接続配線部を有し、
前記接続配線部は、前記パネル本体と前記給電素子を接続するものであって、前記給電用貫通孔を通過して前記給電素子と接続されており、
前記面発光パネルは、点灯時に発光する発光領域を含む発光面が表面を構成するものであって、裏面に実質的に凸部を含まないパネル側平滑領域を有し、
前記取付側平滑領域と前記パネル側平滑領域は、前記発光面を平面視したときの前記発光領域の面積の５０パーセント以上の面積で面接触していることを特徴とする照明装置。
【請求項３】
少なくとも２つの面発光パネルを有し、
前記放熱取付部材は、前記２つの面発光パネルを所定の間隔を空けて保持するものであり、
前記２つの面発光パネルの最短距離は、前記面発光パネルの長さよりも大きいことを特徴とする請求項１又は２に記載の照明装置。
【請求項４】
複数の面発光パネルを有し、
前記放熱取付部材は、長尺状であって、長手方向に前記面発光パネルを直線状に並設させて保持することを特徴とする請求項１乃至３のいずれかに記載の照明装置。
【請求項５】
前記本体板部は、亜鉛めっき鋼板で形成されていることを特徴とする請求項１乃至４のいずれかに記載の照明装置。
【請求項６】
前記面発光パネルが前記放熱取付部材に取り付けられた部分の最大厚みが２０ｍｍ以下であることを特徴とする請求項１乃至５のいずれかに記載の照明装置。
【請求項７】
前記面発光パネルは、前記パネル本体の裏面側を支持する裏面支持ケースを有し、
前記裏面支持ケースは、前記パネル本体の裏面の一部を露出させる伝熱用貫通孔を有し、
前記伝熱用貫通孔の大部分を閉塞する伝熱部材を備え、
前記伝熱部材は、金属製の板体であって、一方の主面が前記パネル本体と面接触し、他方の主面が前記本体板部と面接触することを特徴とする請求項１乃至６のいずれかに記載の照明装置。
【請求項８】
前記面発光パネルは、前記パネル本体の裏面側を支持する裏面支持ケースを有し、
前記裏面支持ケースは、本体部と、前記本体部から突出した突出部を有し、
前記突出部は、突出方向の先端部から基端部に向かって深さをもった締結穴を有し、
前記放熱取付部材の前記本体板部は、前記突出部を収容可能なパネル固定用貫通孔を有し、
前記面発光パネルは、前記突出部が前記パネル固定用貫通孔に収容され、前記締結穴に第１締結要素が締結されることによって前記放熱取付部材に取り付けられることを特徴とする請求項１乃至７のいずれかに記載の照明装置。
【請求項９】
前記放熱取付部材は、外部電源と電気的に接続される給電素子を有し、
前記給電素子は、前記本体板部を挟んで前記面発光パネルとは反対側にあり、
前記放熱取付部材は、前記本体板部とともに、前記給電素子及び前記接続配線部の一部を覆って保護するカバー部材を有していることを特徴とする請求項１乃至８のいずれかに記載の照明装置。
【請求項１０】
第２締結要素と、プッシュナットを有し、
前記第２締結要素は、軸部と、前記軸部の周囲を囲繞する筒部を有し、
前記プッシュナットは、環状のベース部と、前記ベース部から中心に向かって延びた爪部を有し、
前記第２締結要素は、前記カバー部材と前記放熱取付部材に跨って設けられており、
前記カバー部材は、前記爪部が前記筒部の外周面と係合することで前記放熱取付部材に対して固定されており、
前記放熱取付部材は、前記第２締結要素の前記軸部が前記被取付部に挿入されて取り付けられていることを特徴とする請求項９に記載の照明装置。
【請求項１１】
前記放熱取付部材は、外部電源からの電力を入力する電源入力基板と、面発光パネルへの出力を制御する制御基板と、前記電源入力基板と前記制御基板を接続する内部配線部材を有することを特徴とする請求項１乃至１０のいずれかに記載の照明装置。
【請求項１２】
前記放熱取付部材は、外部電源から電源入力基板に電力を入力する外部配線部材と、前記外部配線部材を固定する配線固定部材を有し、
前記外部配線部材は、少なくとも一部が折り曲げ可能であり、
前記配線固定部材は、前記外部配線部材の一部を折れ曲がった状態で収容する折り曲げ溝を有し、
前記折り曲げ溝は、前記外部配線部材の移動を係止する係止片を備えていることを特徴とする請求項１乃至１１のいずれかに記載の照明装置。
【発明の詳細な説明】
【技術分野】
【０００１】
本発明は、照明装置に関する。特に本発明は、パン等の食料品や巻物等の文化財の展示棚に好適に使用される照明装置に関する。
【背景技術】
【０００２】
近年、有機ＥＬパネルや無機ＥＬパネル、ＬＥＤを面状に散りばめた面発光パネルは、面状に発光するので、点光源に比べて出力当たりの発熱量が小さく、広範囲を照らすことができる（例えば、特許文献１）。そのため、パン等の食料品や巻物等の文化財を照らす照明装置の用途として期待されている。すなわち、面発光パネルをパン等の食料品や巻物等の文化財の照明装置とすることによって、点光源に比べて展示物の乾燥や熱劣化を抑制できる。
【先行技術文献】
【特許文献】
【０００３】
【特許文献１】特開２０１６−１７０９２０号公報
【発明の概要】
【発明が解決しようとする課題】
【０００４】
上記したように、面状光源である面発光パネルは、ＬＥＤ等の点光源に比べて発熱が抑えられる。しかしながら、面発光パネルを用いたとしても、長時間照らすと、点灯時の発光部分の発熱により、食料品や文化財に伝熱し、食料品や文化財が乾燥してしまい、味や品質が低下してしまうおそれがあり、更なる改善が望まれていた。【０００５】
そこで、本発明は、面発光パネルの点灯時の発熱を抑制できる照明装置を提供することを目的とする。
【課題を解決するための手段】
【０００６】
上記した課題を解決するための本発明の一つの様相は、面発光パネルと、放熱取付部材を有し、前記放熱取付部材は、前記面発光パネルを被取付部に対して取り付けるものであって、本体板部を有し、前記本体板部は、厚み方向に貫通した給電用貫通孔と、実質的に凸部を含まない取付側平滑領域を有し、前記面発光パネルは、パネル本体と、接続配線部を有し、前記接続配線部は、前記パネル本体と外部電源を電気的に接続するものであって、前記本体板部の前記パネル本体側から前記給電用貫通孔を通過して前記パネル本体とは反対側に至っており、前記面発光パネルは、点灯時に発光する発光領域を含む発光面が表面を構成するものであって、裏面に実質的に凸部を含まないパネル側平滑領域を有し、前記取付側平滑領域と前記パネル側平滑領域は、前記発光面を平面視したときの前記発光領域の面積の５０パーセント以上の面積で面接触している照明装置である。【０００７】
ここでいう「被取付部」とは、照明装置の取付対象となる部位をいい、天井、壁、床、棚等の照明装置とは異なる構造物の部位をいう。
ここでいう「実質的に凸部を含まない」とは、中心線に対して高低差が１０μｍ以上の凸部を含まないことをいう。ここでいう「中心線」とは、中心線から凹部分の面積の和が中心線から凸部分の面積の和と等しくなる線である。【０００８】
本様相によれば、接続配線部が本体板部のパネル本体側から給電用貫通孔を通過してパネル本体とは反対側に至っているので、面発光パネルのパネル本体に対して給電制御する給電素子をパネル本体と本体板部との間に介在させずに取り付けることができる。そのため、放熱取付部材からの厚みを薄くでき、また、給電素子の給電時の発熱がパネル本体に伝熱することを防止できる。
また本様相によれば、取付側平滑領域とパネル側平滑領域は、発光領域の面積の５０パーセント以上の面積で面接触しているので、面発光パネルから放熱取付部材に伝熱する面積が大きく、発光領域で発生した熱を放熱取付部材に面で逃がすことができ、点灯時の面発光パネルの発光面の温度上昇を抑制できる。【０００９】
本発明の一つの様相は、面発光パネルと、放熱取付部材を有し、前記放熱取付部材は、前記面発光パネルを支持し被取付部に対して取り付けるものであって、本体板部と、給電素子を有し、前記本体板部は、厚み方向に貫通した給電用貫通孔と、実質的に凸部を含まない取付側平滑領域を有し、前記給電素子は、前記本体板部を挟んで前記面発光パネルとは反対側にあって、外部電源と電気的に接続されており、前記面発光パネルは、パネル本体と、接続配線部を有し、前記接続配線部は、前記パネル本体と前記給電素子を接続するものであって、前記給電用貫通孔を通過して前記給電素子と接続されており、前記面発光パネルは、点灯時に発光する発光領域を含む発光面が表面を構成するものであって、裏面に実質的に凸部を含まないパネル側平滑領域を有し、前記取付側平滑領域と前記パネル側平滑領域は、前記発光面を平面視したときの前記発光領域の面積の５０パーセント以上の面積で面接触している照明装置である。【００１０】
本様相によれば、給電素子が本体板部を挟んで面発光パネルとは反対側にあるので、給電素子が面発光パネルから本体板部で隔離される。そのため、たとえ給電等により給電素子が発熱したとしても、本体板部で均熱されるので、面発光パネルに伝熱しにくく、面発光パネルの発光面の温度上昇を抑えることができる。
本様相によれば、取付側平滑領域とパネル側平滑領域は、発光領域の面積の５０パーセント以上の面積で面接触しているので、面発光パネルから放熱取付部材に伝熱する面積が大きく、発光領域で発生した熱を放熱取付部材に面で逃がすことができ、面発光パネルの発光面の温度上昇を抑制できる。【００１１】
好ましい様相は、少なくとも２つの面発光パネルを有し、前記放熱取付部材は、前記２つの面発光パネルを所定の間隔を空けて保持するものであり、前記２つの面発光パネルの最短距離は、前記面発光パネルの長さよりも大きいことである。【００１２】
本様相によれば、各面発光パネル間で熱が干渉しにくく、一の面発光パネルに他の面発光パネルの発熱が伝熱しにくいので、他の面発光パネルの発熱により一の面発光パネルの発光面が高温になることを抑制できる。【００１３】
好ましい様相は、複数の面発光パネルを有し、前記放熱取付部材は、長尺状であって、長手方向に前記面発光パネルを直線状に並設させて保持することである。【００１４】
本様相によれば、長尺灯具として機能できる。【００１５】
好ましい様相は、前記本体板部は、亜鉛めっき鋼板で形成されていることである。【００１６】
本様相によれば、安価で外観に優れ、例えば、食料品等の照明として使用したときに食料品等への汚染が少ない、無塵性の照明装置となる。【００１７】
ところで、照明装置を新たに付けたり、照明装置の種類を変えたりする場合、既存の陳列棚に対して照明装置を取り付けたい場合がある。このような場合、限られた空間で展示対象物の展示スペースを確保するためには、できる限り照明装置の厚みを薄くする必要がある。【００１８】
そこで、好ましい様相は、前記面発光パネルが前記放熱取付部材に取り付けられた部分の最大厚みが２０ｍｍ以下であることである。【００１９】
本様相によれば、薄いので設置場所を選ばず、既存の展示棚等の被取付部に後付けが容易となる。【００２０】
好ましい様相は、前記面発光パネルは、前記パネル本体の裏面側を支持する裏面支持ケースを有し、前記裏面支持ケースは、前記パネル本体の裏面の一部を露出させる伝熱用貫通孔を有し、前記伝熱用貫通孔の大部分を閉塞する伝熱部材を備え、前記伝熱部材は、金属製の板体であって、一方の主面が前記パネル本体と面接触し、他方の主面が前記本体板部と面接触することである。【００２１】
本様相によれば、伝熱部材をパネル本体と本体板部の間に介在させ、伝熱部材がそれぞれと面接触するので、伝熱部材を介してパネル本体から本体板部に熱を逃がしやすい。【００２２】
好ましい様相は、前記面発光パネルは、前記パネル本体の裏面側を支持する裏面支持ケースを有し、前記裏面支持ケースは、本体部と、前記本体部から突出した突出部を有し、前記突出部は、突出方向の先端部から基端部に向かって深さをもった締結穴を有し、前記放熱取付部材の前記本体板部は、前記突出部を収容可能なパネル固定用貫通孔を有し、前記面発光パネルは、前記突出部が前記パネル固定用貫通孔に収容され、前記締結穴に第１締結要素が締結されることによって前記放熱取付部材に取り付けられることである。【００２３】
ここでいう「締結要素」とは、ねじ、釘、鋲等の上位概念である。【００２４】
本様相によれば、パネル固定用貫通孔に突出部が収まり、その状態で第１締結要素と締結穴が締結されるので、全体の厚みをさらに薄くできる。【００２５】
好ましい様相は、前記放熱取付部材は、外部電源と電気的に接続される給電素子を有し、前記給電素子は、前記本体板部を挟んで前記面発光パネルとは反対側にあり、前記放熱取付部材は、前記本体板部とともに、前記給電素子及び前記接続配線部の一部を覆って保護するカバー部材を有していることである。【００２６】
本様相によれば、給電素子及び接続配線部の一部がカバー部材によって保護されているので、例えば、木製の棚の被取付部に固定する場合でも、給電素子及び接続配線部の一部が棚の被取付部に直接接触することを防止でき、安全性が高い。【００２７】
より好ましい様相は、第２締結要素と、プッシュナットを有し、前記第２締結要素は、軸部と、前記軸部の周囲を囲繞する筒部を有し、前記プッシュナットは、環状のベース部と、前記ベース部から中心に向かって延びた爪部を有し、前記第２締結要素は、前記カバー部材と前記放熱取付部材に跨って設けられており、前記カバー部材は、前記爪部が前記筒部の外周面と係合することで前記放熱取付部材に対して固定されており、前記放熱取付部材は、前記第２締結要素の前記軸部が前記被取付部に挿入されて取り付けられていることである。【００２８】
本様相によれば、プッシュナットによってカバー部材を放熱取付部材に仮止めできるので、被取付部に対する取付作業が容易となる。【００２９】
好ましい様相は、前記放熱取付部材は、外部電源からの電力を入力する電源入力基板と、面発光パネルへの出力を制御する制御基板と、前記電源入力基板と前記制御基板を接続する内部配線部材を有することである。【００３０】
本様相によれば、電源入力基板と制御基板と内部配線部材が放熱取付部材に設けられているため、外部電源からの給電が容易となる。【００３１】
好ましい様相は、前記放熱取付部材は、外部電源から電源入力基板に電力を入力する外部配線部材と、前記外部配線部材を固定する配線固定部材を有し、前記外部配線部材は、少なくとも一部が折り曲げ可能であり、前記配線固定部材は、前記外部配線部材の一部を折れ曲がった状態で収容する折り曲げ溝を有し、前記折り曲げ溝は、前記外部配線部材の移動を係止する係止片を備えていることである。【００３２】
本様相によれば、配線固定部材によって外部配線部材の移動が制限されるので、外部配線部材に引っ張られて接続対象たる電源入力基板に過剰な負荷が加わることを防止できる。そのため、外部配線部材や外部配線部材と電源入力基板の接続部分の断線を防止できる。
【発明の効果】
【００３３】
本発明の照明装置によれば、面発光パネルの点灯時の発熱を抑制できる。
【図面の簡単な説明】
【００３４】
【図１】本発明の第１実施形態における照明装置の設置状況を示す斜視図である。
【図２】図１の照明装置を示す斜視図である。
【図３】図２の照明装置の分解斜視図である。
【図４】図３の放熱取付部材の分解斜視図である。
【図５】図２の照明装置の説明図であり、（ａ）は正面図であり、（ｂ）は背面図である。
【図６】図５（ａ）の照明装置の断面図であり、（ａ）はＡ−Ａ断面図であり、（ｂ）はＢ−Ｂ断面図である。
【図７】図５（ａ）の照明装置のＣ−Ｃ断面図である。
【図８】図３の面発光パネルを背面側から視た斜視図である。
【図９】図８の面発光パネルの分解斜視図である。
【図１０】図４の配線固定部材の斜視図である。
【図１１】図２の照明装置の電気回路図である。
【図１２】図２の照明装置の要部の斜視図であり、図２とは別の方向から視ている。
【図１３】本発明の他の実施形態の面発光パネルを背面側から視た斜視図である。
【図１４】本発明の他の実施形態の照明装置の斜視図である。
【図１５】本発明の温度上昇測定の測定点の説明図であり、（ａ）は発光面の正面図であり、（ｂ）は（ａ）のＸ１方向の矢視図であり、（ｃ）は（ａ）のＹ１方向の矢視図である。
【発明を実施するための形態】
【００３５】
以下、本発明の実施形態について詳細に説明する。なお、位置関係については、通常の設置位置を基準とし、発光面９側を表、被取付面２００側を裏とする。
【００３６】
本発明の第１実施形態の照明装置１は、図１のように、パン等の食料品２０１を並べて展示する展示棚の棚下の被取付面２００（被取付部）に設けられるものである。すなわち、照明装置１は、食料品２０１の展示用の棚下照明として機能するものである。
照明装置１は、図２のように、長尺状の放熱取付部材３に面発光パネル２が長手方向（以下、長さ方向Ｘともいう）に間隔を空けて取り付けられた長尺灯具である。
照明装置１は、図３，図４のように、面発光パネル２と、放熱取付部材３と、カバー部材４と、プッシュナット５と、第１締結要素６と、第２締結要素７と、第３締結要素８を備えている。
【００３７】
面発光パネル２は、図３のように、四角形状の板状パネルであり、片面が発光面９となる発光パネルである。具体的には、面発光パネル２は、有機ＥＬパネルであり、図９のように、パネル本体１０と、接続配線部１１と、第１ケース１２（第１フレーム）と、第２ケース１５（第２ケース）（裏面支持ケース，裏面支持フレーム）と、伝熱部材１６を備えている。
【００３８】
面発光パネル２は、図５（ａ）のように、発光面９を正面視したときに中央部分に発光領域２０が形成されており、発光領域２０の周囲を囲むように額縁領域２１が形成されている。
発光領域２０は、点灯時に内蔵する発光素子の発光による光を放射する光放射領域であり、所望の発光色の光を放射可能となっている。発光領域２０は、パネル本体１０の縁部と相似形状をしており、具体的には四角形状をしている。
額縁領域２１は、発光面９のうち発光領域２０以外の領域であって、点灯時に非発光の非発光領域である。額縁領域２１は、発光領域２０の周囲を環状に連続しており、具体的には、四角環状となっている。
【００３９】
パネル本体１０は、図６（ｂ）のように、発光素子たる有機ＥＬ素子３６を内蔵した有機ＥＬタイルであり、外部からの給電することによって有機ＥＬ素子３６が発光可能となっている。この有機ＥＬ素子３６は、対向する２つの電極層で有機発光層を挟んだものであり、面状に広がりをもっている。
本実施形態のパネル本体１０は、平均演色評価数Ｒａが９０以上の高演色性の有機ＥＬタイルを採用している。
【００４０】
パネル本体１０は、図６（ｂ）のように、基板３５上に有機ＥＬ素子３６が積層され、封止層３７で封止され、有機ＥＬ素子３６の厚み方向の投影面上であって封止層３７の外側に均熱シート３８が積層された積層構造を備えている。すなわち、パネル本体１０は、裏面側に均熱シート３８が内蔵されており、発光部分の熱を面状に均熱化する構造となっている。言い換えると、有機ＥＬ素子３６の裏面側を均熱シート３８が覆っている。
均熱シート３８は、点灯時に発生する熱を均熱できるものであれば、特に限定されるものではなく、例えば、グラファイトシートやアルミニウムシートなどが採用できる。
【００４１】
接続配線部１１は、図９のように、パネル本体１０の裏面に設けられ、パネル本体１０の内部の有機ＥＬ素子３６と電気的に接続されている部位である。
接続配線部１１は、パネル本体１０の端部近傍から舌状に延びた部位である。すなわち、接続配線部１１は、帯状であってパネル本体１０の縁近傍から片持ち状に支持されており、その先端部にパネル側コネクター部２３を備えている。
【００４２】
接続配線部１１は、フレキシブル配線基板で構成されており、内部に図示しない金属配線が内蔵されており、弾性変形可能となっている。
接続配線部１１は、照明装置１を組み立てたときに、一部が折り曲げられて段差が形成され、パネル本体１０の厚み方向に高さが異なる第１配線部２４及び第３配線部２６と、第１配線部２４と第３配線部２６を接続する第２配線部２５を備えている。そして、パネル側コネクター部２３は、第１配線部２４に比べて第２ケース１５側の第３配線部２６に設けられている。
【００４３】
第１ケース１２は、図９のように、第２ケース１５と対をなし、パネル本体１０の発光面９側を覆う発光支持ケースであり、発光側覆部３０と、端面側覆部３１と、係合片３２ａ〜３２ｆを備えている。
発光側覆部３０は、パネル本体１０の発光面９の額縁領域２１を覆う部位であり、中央にパネル本体１０から照射される光を取り出す取出開口３３を備えている。
端面側覆部３１は、パネル本体１０の端面を覆う部位であり、発光側覆部３０の端部から立ち上がっている。
係合片３２ａ〜３２ｆは、第２ケース１５と係合し、第２ケース１５の第１ケース１２からの離反を係止する係止片であり、端面側覆部３１の立ち上がり方向の端部から折れ曲がった爪状部位である。
【００４４】
第２ケース１５は、パネル本体１０の裏面側（放熱取付部材３側）を覆う裏面支持ケースであり、ポリカーボネート等の絶縁樹脂で形成された樹脂ケースである。
第２ケース１５は、図９のように、本体部４０と、伝熱用貫通孔４１と、ボス部４２ａ〜４２ｄ（突出部）と、配線用貫通孔４３と、係合切り欠き部４５ａ〜４５ｆを備えている。
本体部４０は、パネル本体１０及び接続配線部１１の一部を覆う板状部位であり、少なくとも裏面の一部にケース側平滑部４４（フレーム側平滑部）を備えている。
ケース側平滑部４４は、後述するパネル側平滑領域４７を構成する部位であり、実質的に平滑となっている。
本体部４０の裏面のケース側平滑部４４のＪＩＳ  Ｂ  ０６０１：２０１３に準ずる表面粗さ（算術平均粗さ）Ｒａは、１０μｍ以下であることが好ましい。
この範囲であれば、コストを抑えつつ、十分に面接触させることができ、パネル本体１０で発生した熱を放熱取付部材３に伝熱できる。
【００４５】
伝熱用貫通孔４１は、図９のように本体部４０の厚み方向に貫通した略四角形状の貫通孔であり、図８のように伝熱部材１６を収容する収容孔である。伝熱用貫通孔４１は、伝熱部材１６と実質的に同一形状をしており、伝熱部材１６を実質的に隙間なく収めることが可能となっている。
伝熱用貫通孔４１は、発光面９を正面視したときに、発光領域２０の大部分又は全部が収まる大きさとなっている。
【００４６】
ボス部４２ａ〜４２ｄは、図８のように、パネル本体１０の裏面に設けられ、本体部４０から放熱取付部材３側に向かって突出した円筒状の突出部である。
ボス部４２ａ〜４２ｄは、中央に第１締結要素６と締結可能な締結穴４８を備えている。
締結穴４８は、ボス部４２ａ〜４２ｄの突出方向の先端部から基端部に向かって深さをもった有底穴又は貫通孔である。締結穴４８は、内周面にねじ切りされており、第１締結要素６の軸部９１（図６（ａ）参照）と係合可能となっている。
【００４７】
配線用貫通孔４３は、図８，図９から読み取れるように、本体部４０の厚み方向に貫通し、スリット状に横方向Ｙ（放熱取付部材３の幅方向）に延びた貫通溝である。配線用貫通孔４３は、接続配線部１１の第２配線部２５を挿通可能な挿通孔でもある。
【００４８】
係合切り欠き部４５ａ〜４５ｆは、図９のように、第１ケース１２の係合片３２ａ〜３２ｆと係合可能な窪みであり、本体部４０の各辺に沿って設けられ、厚み方向に深さをもった切り欠きである。
【００４９】
伝熱部材１６は、金属製であって、熱伝導率が第２ケース１５の本体部４０よりも高い板体であり、伝熱用貫通孔４１を閉塞する閉塞部材でもある。
伝熱部材１６は、後述するパネル側平滑領域４７を構成する部位であり、少なくとも裏面が平滑で伝熱側平滑部４６を構成している。
本実施形態では、伝熱部材１６は、表裏の両面が平滑となっており、裏面のＪＩＳ  Ｂ  ０６０１：２０１３に準ずる表面粗さ（算術平均粗さ）Ｒａは、１０μｍ以下であることが好ましい。
【００５０】
ここで、面発光パネル２の各部位の位置関係について説明する。
【００５１】
面発光パネル２は、図９のように、表面側（発光面９側）を第１ケース１２が覆っており、裏面側（放熱取付部材３側）を第２ケース１５が覆っている。第１ケース１２の係合片３２ａ〜３２ｆは、第２ケース１５の係合切り欠き部４５ａ〜４５ｆと係合している。
ボス部４２ａ〜４２ｄは、図８のように、伝熱部材１６の縦方向Ｘ（放熱取付部材３の長さ方向）の外側に位置しており、伝熱部材１６の四隅近傍に設けられている。すなわち、ボス部４２ａ，４２ｂは、縦方向Ｘにおいてボス部４２ｃ，４２ｄと伝熱部材１６を挟んで対向しており、ボス部４２ａ，４２ｄは、横方向Ｙにおいてボス部４２ｂ，４２ｃと伝熱部材１６を挟んで対向している。
配線用貫通孔４３は、背面視したときに、横方向Ｙにおいてボス部４２ｃ，４２ｄの間に位置している。
【００５２】
伝熱部材１６は、図８のように、本体部４０の伝熱用貫通孔４１に挿着されており、伝熱部材１６の裏面と本体部４０の裏面は、同一平面を形成し、面一となっている。すなわち、面発光パネル２は、ケース側平滑部４４と伝熱側平滑部４６によって、裏面に実質的に凸部を含まないパネル側平滑領域４７が形成されている。
パネル側平滑領域４７は、パネル本体１０に内蔵される均熱部材の厚み方向の投影面上に位置している。すなわち、パネル側平滑領域４７は、裏面視したときにパネル本体１０に内蔵される均熱シート３８（図６（ｂ）参照）と重なる位置に設けられている。パネル側平滑領域４７は、発光面９を平面視したときの発光領域２０の面積の５０パーセント以上の面積を占めている。
パネル側平滑領域４７の表面粗さ（算術平均粗さ）Ｒａは１０μｍ以下であることが好ましい。
この範囲であれば、コストを抑えつつ、十分に面接触させることができ、パネル本体１０で発生した熱を放熱取付部材３に伝熱できる。
【００５３】
放熱取付部材３は、面発光パネル２で発生した熱を均熱及び放熱する放熱部材であって、図２のように、一又は複数の面発光パネル２を保持し、被取付面２００に対して取り付ける取付部材でもある。
放熱取付部材３は、熱伝導率が高い材料で形成されるものであり、具体的には、金属製の部材である。本実施形態の放熱取付部材３は、亜鉛めっき鋼板で構成されており、具体的には、ＪＩＳ  Ｇ  ３３１３：２０１０に準ずるＳＥＣＣで構成されている。そのため、安価で、外観に優れ、食料品２０１に接触させても実質的に汚染が生じず、無塵性の照明装置を構成できる。
【００５４】
放熱取付部材３は、図３，図４のように、本体部５０と、制御基板５１（給電素子）と、電源入力基板５２（給電素子）と、配線固定部材５３と、内部配線部材５４と、外部配線部材５５を備えている。
本体部５０は、断面形状が「コ」字状であり、開口が上方を向いた部材であり、本体板部６０と、立壁部６１，６２を備えている。
本体板部６０は、幅をもち所定の方向（長さ方向Ｘ）に延びた長板状の部位であり、給電用貫通孔６４と、パネル固定用貫通孔６５と、取付用貫通孔６６と、配線固定用貫通孔６７を備えている。
本体板部６０は、表面が面発光パネル２を載置して取り付ける載置面を構成し、裏面が制御基板５１等の給電素子を設置する給電面を構成する部材である。
本体板部６０は、少なくとも表面（被取付面２００とは反対側の面）に取付側平滑領域６８が形成されている。
取付側平滑領域６８は、載置面を構成する領域であり、実質的に平滑な領域である。
取付側平滑領域６８の表面粗さＲｓは、１０μｍ以下であることが好ましい。取付側平滑領域６８の表面粗さ（算術平均粗さ）Ｒａは、１０μｍ以下であることが好ましい。
この範囲であれば、コストを抑えつつ、十分に面接触させることができ、パネル本体１０で発生した熱を放熱取付部材３に伝熱できる。
【００５５】
給電用貫通孔６４は、図３，図４のように、本体板部６０を厚み方向に貫通し、幅方向Ｙに延びたスリット状の貫通溝であり、載置面から給電面に至る貫通開口を形成するものである。給電用貫通孔６４は、図６（ｂ）のように、面発光パネル２の接続配線部１１の一部を挿通可能となっている。
パネル固定用貫通孔６５は、図３，図４のように、本体板部６０を厚み方向に貫通する貫通孔であり、第１締結要素６の軸部９１を挿通可能となっている。また、パネル固定用貫通孔６５は、図６（ａ）のように、第２ケース１５のボス部４２ａ〜４２ｄを収容可能となっている。
取付用貫通孔６６は、図３のように、本体板部６０を厚み方向に貫通する貫通孔であり、第２締結要素７の筒部９５を挿通可能となっている。
配線固定用貫通孔６７は、図４のように、本体板部６０を厚み方向に貫通する貫通孔であり、第３締結要素８の軸部９９を挿通可能となっている。
【００５６】
立壁部６１，６２は、図４のように本体板部６０の幅方向Ｙの両端部から被取付面２００側に向かって折れ曲がった壁部である。すなわち、立壁部６１，６２は、本体板部６０に対して立ち上がっており、本体板部６０の厚み方向の強度を補強する補強壁である。
【００５７】
制御基板５１は、面発光パネル２への出力を制御する基板であり、面発光パネル２を調光制御する基板である。
【００５８】
電源入力基板５２は、定電圧を定電流に変換する基板であり、定電流を面発光パネル２側に供給する基板である。
【００５９】
配線固定部材５３は、図４のように外部配線部材５５を位置決めし固定する固定部材であり、外部配線部材５５の長さ方向Ｘへの移動を規制する規制部材でもある。
配線固定部材５３は、図１０のように、折り曲げ溝７０と、固定穴７１ａ，７１ｂを備えている。
折り曲げ溝７０は、外部配線部材５５の一部を折れ曲がった状態で収容する溝であり、厚み方向に深さをもち、「く」字状に折れ曲がって延びる溝である。すなわち、折り曲げ溝７０は、図１０のように、第１溝部７２と、第１溝部７２に対して交差する方向に延びた第２溝部７３を備えており、第１溝部７２と第２溝部７３との境界部分に係止片７４が設けられている。
固定穴７１ａ，７１ｂは、第３締結要素８によって配線固定部材５３を本体板部６０に固定するための有底穴又は貫通孔であり、内部にねじ切りされており、第３締結要素８の軸部９９と係合可能となっている。
【００６０】
内部配線部材５４は、図５（ｂ），図１１のように、長さ方向Ｘに隣接する制御基板５１，５１間又は制御基板５１と電源入力基板５２間を電気的に接続する接続配線である。
【００６１】
外部配線部材５５は、図１１のように、電源入力基板５２を外部電源に電気的に接続する給電配線であり、図４のように、線状の配線であって折り曲げ可能となっている。外部配線部材５５は、本体部５６と、分岐部５７ａ，５７ｂを備えている。
分岐部５７ａ，５７ｂは、電力の供給方向において本体部５６よりも下流側にあり、本体部５６から分岐した配線部である。
【００６２】
カバー部材４は、図１２のように、制御基板５１、電源入力基板５２、及び内部配線部材５４を保護する保護カバーであり、幅をもって所定の方向（長さ方向Ｘ）に延びた長尺状の部材である。
【００６３】
カバー部材４は、図３，図１２のように、ベース部８０，８１と、収容部８２を備えている。
ベース部８０，８１は、図３のように、厚み方向に貫通したカバー側貫通孔８３を備えている。
カバー側貫通孔８３は、第２締結要素７の筒部９５を挿通可能な挿通孔である。
収容部８２は、図７のように、ベース部８０，８１に対して隆起し、円弧状に湾曲した部位であり、収容することで制御基板５１、電源入力基板５２、及び内部配線部材５４を外部から保護可能となっている。
ベース部８０，８１は、図３のように、長手方向（長さ方向Ｘ）の端部に配線固定部材５３を挿入可能な切り欠き部８５を備えている。
【００６４】
プッシュナット５は、図１２のように、第２締結要素７の筒部９５を挿着し固定する止め輪であり、環状のベース部８７と、ベース部８７から中心に向かって延びた複数の爪部８８を備えている。そして、プッシュナット５は、第２締結要素７の筒部９５を挿入すると、爪部８８が第２締結要素７の筒部９５の外周面に食い込み、第２締結要素７の筒部９５の抜け落ちを防止可能となっている。
【００６５】
第１締結要素６は、面発光パネル２を放熱取付部材３に取り付けるための一時締結要素であり、具体的には、ねじである。すなわち、第１締結要素６は、図６（ａ）のように、頭部９０と、軸部９１を有し、軸部９１が面発光パネル２のボス部４２ａ〜４２ｄの締結穴４８と係合して締結可能となっている。
頭部９０は、パネル固定用貫通孔６５の開口面積よりも大きい。
【００６６】
第２締結要素７は、放熱取付部材３を被取付面２００に取り付けるための締結要素である。
第２締結要素７は、図３の拡大図のように、頭部９３と、軸部９４と、筒部９５を有し、筒部９５が軸部９４の周囲を囲繞し、軸部９４の筒部９５からの露出部分が被取付面２００と係合可能となっている。
【００６７】
第３締結要素８は、配線固定部材５３を放熱取付部材３に取り付けるための一時締結要素であり、具体的には、ねじである。すなわち、第３締結要素８は、図４のように、頭部９８と、軸部９９を有し、軸部９９が配線固定部材５３の固定穴７１ａ，７１ｂ（図１０参照）と係合可能となっている。
【００６８】
続いて、本発明の第１実施形態の照明装置１の各部位の位置関係について説明する。
【００６９】
本実施形態の照明装置１は、図２のように、３つの面発光パネル２がそれぞれ放熱取付部材３に取り付けられて保持されており、長さ方向Ｘに所定の間隔を空けて直線状に並設されている。本実施形態の面発光パネル２の長さ方向Ｘ（縦方向Ｘ）の大きさは、放熱取付部材３の長さ方向Ｘの長さの１／３以下である。
長さ方向Ｘにおける隣接する面発光パネル２，２の最短距離Ｄ１は、面発光パネル２の長さＤ２よりも大きいことが好ましい。
【００７０】
照明装置１は、図５（ａ）のように、発光面９を正面視したときに、面発光パネル２が放熱取付部材３と重なっており、幅方向Ｙにおいて放熱取付部材３内に収まっている。
照明装置１は、図６（ｂ）のように、第２ケース１５の配線用貫通孔４３と本体板部６０の給電用貫通孔６４が一つの連通孔を形成しており、第２配線部２５が当該連通孔を通過し、第２ケース１５及び本体板部６０に対して、第１配線部２４が発光面９側に位置し、第３配線部２６が裏面側に位置している。すなわち、接続配線部１１は、本体板部６０において載置面側から給電用貫通孔６４を貫通して給電面側に至っている。
面発光パネル２は、図６（ａ）のように、ボス部４２ａ〜４２ｄが本体板部６０のパネル固定用貫通孔６５に挿通されている。第１締結要素６は、被取付面２００側から面発光パネル２側に向かって挿入され、軸部９１が面発光パネル２のボス部４２ａ〜４２ｄの締結穴４８と係合している。
【００７１】
照明装置１は、本体板部６０の取付用貫通孔６６とベース部８０，８１のカバー側貫通孔８３が一つの連通孔を形成しており、第２締結要素７は、図３のように、面発光パネル２側から被取付面２００側に向かって挿入されており、軸部９４が筒部９５に挿通され、筒部９５が当該連通孔を通過しプッシュナット５に挿入されている。すなわち、第２締結要素７の筒部９５は、図１２のように、プッシュナット５の爪部８８と係合している。そして、軸部９４は、その先端部が筒部９５から露出しており、被取付面２００に挿入されている。
第３締結要素８は、図４のように、面発光パネル２側から被取付面２００側に向かって挿入されており、軸部９９が配線固定用貫通孔６７を通過し、固定穴７１ａ，７１ｂと係合している。
制御基板５１や電源入力基板５２は、本体板部６０の面発光パネル２とは反対側の面に設けられている。各制御基板５１は、図５のように、発光面９を正面視したときに、各面発光パネル２と重なる位置に配されており、電源入力基板５２は、長さ方向Ｘにおいて、面発光パネル２の外側の位置に配されている。
各制御基板５１と電源入力基板５２は、内部配線部材５４によって接続されており、電源入力基板５２は、外部配線部材５５によって外部電源と接続可能となっている。
【００７２】
照明装置１は、図１１のように、外部電源から外部配線部材５５を介して電源入力基板５２に接続され、電源入力基板５２から内部配線部材５４を介して各制御基板５１に接続されている。各制御基板５１は、接続配線部１１を介して各パネル本体１０に接続されている。また、隣接する制御基板５１は、内部配線部材５４によって接続されている。すなわち、照明装置１は、各面発光パネル２において外部電源から外部配線部材５５及び制御基板５１を介してパネル本体１０に至る給電経路が形成されている。
【００７３】
一つの面発光パネル２に注目すると、伝熱部材１６は、図６のように、面発光パネル２のパネル本体１０と放熱取付部材３の本体板部６０の間に介在しており、一方の主面がパネル本体１０の均熱シート３８と直接又は他のフィルムを介して面接触して密着しており、他方の主面が本体板部６０と面接触して密着している。
図８に示される面発光パネル２のパネル側平滑領域４７は、図３に示される放熱取付部材３の本体板部６０の取付側平滑領域６８と当接し、面接触している。すなわち、パネル側平滑領域４７と取付側平滑領域６８は、発光面９を平面視したときの発光領域２０の面積の５０パーセント以上の面積で面接触している。
パネル側平滑領域４７と取付側平滑領域６８は、発光領域２０の面積の７０パーセント以上の面積で面接触していることが好ましく、発光領域２０の面積の８０パーセント以上の面積で面接触していることがより好ましい。本実施形態の照明装置１は、パネル側平滑領域４７と取付側平滑領域６８がともに発光領域２０よりも大きく、発光領域２０の面積以上の面積で面接触している。
【００７４】
本実施形態の照明装置１は、面発光パネル２が放熱取付部材３に取り付けられた部分の最大厚みが２０ｍｍ以下であることが好ましく、１０ｍｍ以下であることがより好ましい。この範囲であれば、設置場所の制約が少なく、既存の空間に設置しやすい。
【００７５】
本実施形態の照明装置１によれば、点灯時に面発光パネル２が発熱しても、パネル側平滑領域４７を介して放熱取付部材３に熱伝導し、均熱及び放熱され、面発光パネル２が高温になりにくい。
また、何等かの影響により過剰な電流が給電素子たる制御基板５１や電源入力基板５２に流れて発熱したとしても、放熱取付部材３上に載置されているので、放熱取付部材３により均熱及び放熱され、制御基板５１や電源入力基板５２が高温になりにくい。
このように、照明装置１全体が高温になりにくいため、面発光パネル２の輻射熱により、食料品２０１が乾燥しにくい。
【００７６】
本実施形態の照明装置１によれば、制御基板５１等の給電素子が本体板部６０を挟んで面発光パネル２と対向するので、給電素子が本体板部６０によって面発光パネル２から隔離され、給電素子が発熱したとしても、発光面９の温度上昇を抑制できる。
【００７７】
本実施形態の照明装置１によれば、高演色性の有機ＥＬタイルをパネル本体１０に使用しているため、自然光に近い光を照射でき、食料品２０１を美味しそうに美しく照明できる。
【００７８】
本実施形態の照明装置１によれば、放熱取付部材３の本体部５０は、本体板部６０の幅方向Ｙの端部から織り上げられた立壁部６１，６２を備えているので、低コストで強度を向上できる。
【００７９】
本実施形態の照明装置１によれば、放熱取付部材３の制御基板５１、電源入力基板５２、及び内部配線部材５４をカバー部材４が保護している。そのため、制御基板５１、電源入力基板５２、及び内部配線部材５４が見えにくく、外観を向上でき、さらに、制御基板５１、電源入力基板５２、及び内部配線部材５４に接触することによる感電等を防止でき、信頼性も向上できる。
【００８０】
本実施形態の照明装置１によれば、接続配線部１１としてフレキシブル配線基板を使用しているため、照明装置１全体の厚みを薄くでき、また組み立ても容易となる。
【００８１】
本実施形態の照明装置１によれば、複数の面発光パネル２が放熱取付部材３の載置面に一直線上に取り付けられているため、幅の制約が少なく、容易かつ安価に棚下の被取付面２００に取り付けることができる。
【００８２】
上記した実施形態では、本体部４０の伝熱用貫通孔４１に伝熱部材１６を挿入し、本体部４０と伝熱部材１６によってパネル側平滑領域４７を設けていたが、本発明はこれに限定されるものではない。図１３のように、本体部４０に伝熱用貫通孔４１を設けずに本体部４０のみでパネル側平滑領域４７を形成してもよい。すなわち、必ずしも伝熱部材１６を設けなくてもよい。
【００８３】
上記した実施形態では、電源入力基板５２を本体板部６０の裏面側に設けていたが、本発明はこれに限定されるものではない。電源入力基板５２を放熱取付部材３の外部に設けてもよい。
【００８４】
上記した実施形態では、面発光パネル２は、発光面９を正面視したときに放熱取付部材３に収まる大きさであったが、本発明はこれに限定されるものではない。面発光パネル２は、図１４のように、発光面９を正面視したときに、幅方向Ｙにおいて対向する２辺１０１，１０２と重なり、当該２辺１０１，１０２よりも外側に張り出る大きさであってもよい。すなわち、面発光パネル２の幅方向Ｙの端部が放熱取付部材３から幅方向Ｙに張り出していてもよい。この場合、面発光パネル２の幅方向Ｙの大きさを放熱取付部材３の幅方向Ｙの長さよりも大きくすることが好ましい。こうすることで、放熱取付部材３の本体板部６０の幅方向Ｙに対向する２辺１０１，１０２は、面発光パネル２によって隠れ、より放熱取付部材３が見えにくくなり、見栄えが良い。
【００８５】
上記した実施形態では、放熱取付部材３の本体板部６０の表面の全面に取付側平滑領域６８を形成していたが、本発明はこれに限定されるものではない。表面の一部に取付側平滑領域６８を形成してもよい。例えば、面発光パネル２に対応する位置にそれぞれ個別に取付側平滑領域６８を設けてもよい。こうすることで、表面の全面に取付側平滑領域６８を設けた場合と同様の伝熱性を確保できる。
【００８６】
上記した実施形態では、食料品２０１を展示する展示棚に照明装置１を取り付けた場合について説明したが、本発明はこれに限定されるものではない。巻物や文化財等の文化品を展示する展示棚に照明装置１を取り付けてもよい。
【００８７】
上記した実施形態では、１枚の放熱取付部材３に対して３枚の面発光パネル２が取り付けられていたが、本発明はこれに限定されるものではない。１枚の放熱取付部材３に対して１枚又は２枚の面発光パネル２が取り付けられていてもよいし、１枚の放熱取付部材３に対して４枚以上の面発光パネル２が取り付けられていてもよい。
【００８８】
上記した実施形態では、照明装置１は、展示棚の天面部を構成する被取付面２００に取り付けられていたが、本発明はこれに限定されるものではない。照明装置１の取付場所は特に限定されない。展示棚の展示空間に面する底面部や側面部に取り付けてもよい。また、展示棚以外のものに取り付けられていてもよい。通常の照明装置のように、天井や壁、床といった固定構造物に取り付けられてもよい。
【００８９】
上記した実施形態では、発光面９が下方を向いていたが、本発明はこれに限定されるものではない。発光面９の向きは特に限定されない。例えば、発光面９を直接食料品２０１に対向する方向に向けて直接照明としてもよいし、発光面９を棚の内壁に向けて当該内壁での反射を利用する間接照明としてもよい。
【００９０】
上記した実施形態では、放熱取付部材３に対して面発光パネル２は、長さ方向Ｘに一直線上に並んでいたが、本発明はこれに限定されるものではない。各面発光パネル２は、適宜、幅方向Ｙにずれていてもよい。
【００９１】
上記した実施形態は、本発明の技術的範囲に含まれる限り、各実施形態間で各構成部材を自由に置換や付加できる。
【実施例】
【００９２】
以下、実施例により本発明を具体的に説明する。なお本発明は、以下の実施例に限定されるものではなく、その要旨を変更しない範囲で適宜変更して実施できる。【００９３】
（実施例１）
実施例１では、面発光パネル２のパネル本体１０として、外形寸法が９０ｍｍ×９０ｍｍで発光領域のサイズが８０ｍｍ×８０ｍｍであり、裏面にグラファイトシートが露出した有機ＥＬタイルを使用した。有機ＥＬタイルの裏面のグラファイトシートにアルミニウム板（５０ｍｍ×６０ｍｍ）を面接触させて有機ＥＬパネルを形成した。さらに、有機ＥＬパネルのアルミニウム板を放熱取付部材たる亜鉛めっき鋼板（厚み１．０ｍｍ）に面接触させて、照明装置を形成した。
そして、温度上昇測定として、側面が開放された３００ｍｍ×３００ｍｍ×９００ｍｍの木製の測定箱を用い、当該測定箱の天面部の内壁面に発光面が下方を向くように照明装置を固定し、２２０ｍＡの定電流を流し、照明装置を点灯させた。そして、３０分後の発光面において図１５に示される５点（Ａ〜Ｅ）の温度を熱電対で測定した。すなわち、発光領域の四隅と中央の温度を測定した。【００９４】
（実施例２）
実施例２では、実施例１の照明装置において、アルミニウム板の代わりに、同寸法のプラスチック板を用いたこと以外は同様にして照明装置を形成し、これに対して実施例１と同様にして温度上昇測定を行った。【００９５】
（比較例１）
比較例１では、実施例１の照明装置において、放熱取付部材に有機ＥＬタイルのグラファイトシートを接触させずに取り付けたこと以外は同様にして照明装置を形成した。
このようにして得られた照明装置に対して実施例１と同様にして温度上昇測定を行った。【００９６】
（比較例２）
比較例２では、実施例１と同様の有機ＥＬタイルを直接天面部に固定し、実施例１と同様にして温度上昇測定を行った。【００９７】
実施例１，２及び比較例１，２の温度上昇測定の結果を表１に示す。なお、各数値は、測定時の温度の数値を摂氏２５度での数値に換算した値である。【００９８】
【表１】
2020003911.tif 000003
【００９９】
表１の結果から、放熱取付部材を介して天面部に固定した実施例１，２及び比較例１では、直接天面部に有機ＥＬタイルを固定した比較例２に比べて平均温度が低くなった。このことから、放熱取付部材を設けることによって発光面の温度を抑制できることがわかった。
また、表１の結果から、伝熱部材を介して有機ＥＬタイルのグラファイトシートを放熱取付部材に面接触させた実施例１，２では、有機ＥＬタイルのグラファイトシートを放熱取付部材に面接触させていない比較例１に比べて平均温度が低くなった。このことから、発光面の熱が放熱取付部材に面接触することによって面で伝熱し、放熱取付部材で均熱及び放熱されたためと考えらえる。【０１００】
このように、放熱取付部材３に有機ＥＬパネルを面接触させることで有機ＥＬタイル単体に比べて発光面９の温度上昇を抑制できることがわかった。
【符号の説明】
【０１０１】
１  照明装置
２  面発光パネル
３  放熱取付部材
４  カバー部材
５  プッシュナット
６  第１締結要素
７  第２締結要素
９  発光面
１０  パネル本体
１１  接続配線部
１５  第２ケース（裏面支持ケース）
１６  伝熱部材
２０  発光領域
４０  本体部
４１  伝熱用貫通孔
４２ａ〜４２ｄ  ボス部（突出部）
４７  パネル側平滑領域
４８  締結穴
５０  本体部
５１  制御基板（給電素子）
５２  電源入力基板（給電素子）
５３  配線固定部材
５４  内部配線部材
５５  外部配線部材
６０  本体板部
６４  給電用貫通孔
６５  パネル固定用貫通孔
６８  取付側平滑領域
７０  折り曲げ溝
７４  係止片
８７  ベース部
８８  爪部
９４  軸部
９５  筒部
２００  被取付面（被取付部）
【図１】
2020003911.tif 000004
【図２】
2020003911.tif 000005
【図３】
2020003911.tif 000006
【図４】
2020003911.tif 000007
【図５】
2020003911.tif 000008
【図６】
2020003911.tif 000009
【図７】
2020003911.tif 000010
【図８】
2020003911.tif 000011
【図９】
2020003911.tif 000012
【図１０】
2020003911.tif 000013
【図１１】
2020003911.tif 000014
【図１２】
2020003911.tif 000015
【図１３】
2020003911.tif 000016
【図１４】
2020003911.tif 000017
【図１５】
2020003911.tif 000018
【国際調査報告】
2020003911.tif 000019
2020003911.tif 000020